(57)【要約】【課題】  通知する情報の信頼性の高さと、通知する情報の生成のアルゴリズムの更新の容易性とを両立することができる自動ドア監視システムを提供する。【解決手段】  自動ドア監視システム１０は、自動ドアから出力された情報に基づいて情報を生成するデータ変換器と、自動ドアから出力された情報、および、データ変換器によって生成された情報の少なくとも１つに基づいて情報を生成するサーバー７０と、データ変換器およびサーバー７０の少なくとも１つによって生成された情報を通知する拠点端末６０とを備えることを特徴とする。【選択図】  図１
2020071623.tif 000002
【特許請求の範囲】
【請求項１】
自動ドアから出力された情報に基づいて情報を生成する情報生成部と、
前記自動ドアから出力された情報、および、前記情報生成部によって生成された情報の少なくとも１つに基づいて情報を生成するサーバーと、
前記情報生成部および前記サーバーの少なくとも１つによって生成された情報を通知する情報通知部と
を備えることを特徴とする自動ドア監視システム。
【請求項２】
前記自動ドアは、
ドアと、
前記ドアの近傍の物体を検知するためのセンサーと
を備え、
前記サーバーは、前記センサーから出力された情報に基づいて情報を生成することを特徴とする請求項１に記載の自動ドア監視システム。
【発明の詳細な説明】
【技術分野】
【０００１】
本発明は、自動ドアの状態を監視する自動ドア監視システムに関する。
【背景技術】
【０００２】
従来の自動ドア監視システムとして、マットスイッチ等のセンサーの検知信号がＯＮになってから一定時間経過してもドアのクローズド信号がＯＮのままである場合に、ドアが開かない故障が発生していることを故障診断装置で診断し、センサーの検知信号がＯＦＦになってから一定時間経過してもドアのクローズド信号がＯＮにならない場合に、ドアが開きっぱなしの故障が発生していることを故障診断装置で診断し、故障診断装置での診断の結果を遠隔地のコンピューターによって通知するものが知られている（例えば、特許文献１参照。）。
【先行技術文献】
【特許文献】
【０００３】
【特許文献１】実開昭６３−０８３３８４号公報
【発明の概要】
【発明が解決しようとする課題】
【０００４】
しかしながら、従来の自動ドア監視システムにおいては、自動ドアの駆動装置のメーカーによって故障診断装置が製造される場合、故障診断装置における自動ドアの故障の診断のアルゴリズムが自動ドアの駆動装置に適したものになるので、自動ドアの故障の診断の信頼性が高いが、故障診断装置における自動ドアの故障の診断のアルゴリズムが自動ドア監視システムの管理者によって設定可能ではないので、自動ドアの故障の診断の新たなアルゴリズムに対応することが容易ではないという問題がある。
【０００５】
一方、従来の自動ドア監視システムにおいては、故障診断装置における自動ドアの故障の診断のアルゴリズムが自動ドア監視システムの管理者によって設定可能である場合、自動ドアの故障の診断の新たなアルゴリズムに対応することが容易であるが、自動ドアの故障の診断のアルゴリズムが自動ドアの駆動装置に適したものになるとは限らないという問題がある。
【０００６】
そこで、本発明は、通知する情報の信頼性の高さと、通知する情報の生成のアルゴリズムの更新の容易性とを両立することができる自動ドア監視システムを提供することを目的とする。
【課題を解決するための手段】
【０００７】
本発明の自動ドア監視システムは、自動ドアから出力された情報に基づいて情報を生成する情報生成部と、前記自動ドアから出力された情報、および、前記情報生成部によって生成された情報の少なくとも１つに基づいて情報を生成するサーバーと、前記情報生成部および前記サーバーの少なくとも１つによって生成された情報を通知する情報通知部とを備えることを特徴とする。
【０００８】
この構成により、本発明の自動ドア監視システムは、情報生成部と、サーバーとを備えているので、自動ドアの駆動装置に適したアルゴリズムで情報を生成する情報生成部が、この駆動装置のメーカーによって製造されることによって、情報生成部によって生成される情報の信頼性を向上することができるとともに、サーバーにおける情報の生成のアルゴリズムが自動ドア監視システムの管理者によって設定されることによって、サーバーによって生成される情報の生成のアルゴリズムが容易に更新されることができる。したがって、本発明の自動ドア監視システムは、情報通知部によって通知する情報の信頼性の高さと、情報通知部によって通知する情報の生成のアルゴリズムの更新の容易性とを両立することができる。
【０００９】
本発明の自動ドア監視システムは、前記自動ドアは、ドアと、前記ドアの近傍の物体を検知するためのセンサーとを備え、前記サーバーは、前記センサーから出力された情報に基づいて情報を生成しても良い。
【００１０】
この構成により、本発明の自動ドア監視システムは、センサーから出力された情報に基づいてサーバーによって情報を生成するので、センサーから出力された情報に基づいて情報生成部によって情報を生成しなくても良く、自動ドアの駆動装置のメーカーと、自動ドアのセンサーのメーカーとが異なる場合に、自動ドアの駆動装置のメーカーによる情報生成部の製造を容易化することができる。
【発明の効果】
【００１１】
本発明の自動ドア監視システムは、通知する情報の信頼性の高さと、通知する情報の生成のアルゴリズムの更新の容易性とを両立することができる。
【図面の簡単な説明】
【００１２】
【図１】本発明の一実施の形態に係る自動ドア監視システムのブロック図である。
【図２】図１に示す自動ドア側システムのブロック図である。
【図３】駆動装置を現わした状態での図２に示す自動ドアの正面図である。
【図４】図３に示す自動ドアの側面図である。
【図５】図２に示す例とは異なる例での自動ドア側システムのブロック図である。
【図６】モーターの電流値の正常時からの変化に基づいて異常情報を生成する場合の図２に示すデータ変換器の動作のフローチャートである。
【図７】モーターによって開かれる場合の図３に示すドアの移動速度の一例を示す図である。
【図８】モーター電流値異常情報に基づいて故障予知情報を生成する場合の図１に示すサーバーの動作のフローチャートである。
【発明を実施するための形態】
【００１３】
以下、本発明の一実施の形態について、図面を用いて説明する。
【００１４】
まず、本実施の形態に係る自動ドア監視システムの構成について説明する。
【００１５】
図１は、本実施の形態に係る自動ドア監視システム１０のブロック図である。
【００１６】
図１に示すように、自動ドア監視システム１０は、自動ドアの設置場所に配置される自動ドア側システム２０を備えている。自動ドア監視システム１０は、自動ドア側システム２０と同様の構成の自動ドア側システムを、自動ドア側システム２０以外に少なくとも１つ備えることが可能である。
【００１７】
自動ドア監視システム１０は、例えばコールセンターや自動ドアの保守業務を行う拠点などに配置される拠点端末６０を備えている。拠点端末６０は、自動ドアの各種の設定を示す設定情報と、自動ドアの状態および動作の少なくとも１つに関する情報としての各種の保全情報と、自動ドアの故障の予知を示す故障予知情報と、自動ドアの発生済みの故障を示す故障情報との少なくとも１つが送信されてきた場合に、送信されてきた情報を、拠点に所属する者に通知する装置であり、本発明の情報通知部を構成している。自動ドアの故障予知情報および故障情報は、自動ドアの異常を示す異常情報の一種である。したがって、拠点のサービスパーソンは、拠点端末６０によって通知された情報に応じて、電話や現場作業などの保守業務を行うことができる。自動ドア監視システム１０は、拠点端末６０と同様の構成の拠点端末を、拠点端末６０以外に少なくとも１つ備えることが可能である。自動ドア監視システム１０における拠点端末は、自動ドアの保守業務を行う拠点毎に１つ以上配置されても良い。拠点端末は、例えばＰＣ（Ｐｅｒｓｏｎａｌ  Ｃｏｍｐｕｔｅｒ）などのコンピューターによって構成されている。
【００１８】
自動ドア監視システム１０は、自動ドアの設定情報、保全情報、故障予知情報および故障情報など、自動ドアに関する様々な情報を自動ドア側システムから収集するサーバー７０を備えている。サーバー７０は、自動ドア側システムから収集した情報に基づいて故障予知情報および故障情報を生成することができる。サーバー７０は、自動ドア側システムから収集した情報や、自ら生成した故障予知情報および故障情報など、自動ドアに関する様々な情報を拠点端末に通知することができる。サーバー７０は、例えばＰＣなどのコンピューターによって構成されている。
【００１９】
自動ドア側システムと、サーバー７０とは、インターネットなどのネットワーク１１を介して互いに通信可能に接続されることが可能である。同様に、拠点端末と、サーバー７０とは、インターネットなどのネットワーク１２を介して互いに通信可能に接続されることが可能である。
【００２０】
図２は、自動ドア側システム２０のブロック図である。
【００２１】
図２に示すように、自動ドア側システム２０は、自動ドア３０を備えている。自動ドア側システム２０は、自動ドア３０と同様の構成の自動ドアを、自動ドア３０以外に少なくとも１つ備えることが可能である。
【００２２】
図３は、駆動装置４０を現わした状態での自動ドア３０の正面図である。図４は、自動ドア３０の側面図である。
【００２３】
図３および図４に示すように、自動ドア３０は、引き戸である左右１枚ずつのドア３１と、開閉しない固定された建具である左右１枚ずつのフィックス３２と、ドア３１の下部に取り付けられた振れ止め３１ａが案内されるガイドレール３３と、ドア３１およびフィックス３２の上部に設けられた無目３４と、無目３４に取り付けられていてドア３１の一面側で近傍の通行者などの物体を検知するための起動センサー３５と、無目３４に取り付けられていてドア３１の他面側で近傍の通行者などの物体を検知するための起動センサー３６と、フィックス３２に取り付けられていてドア３１の開口を通過する通行者などの物体を検知するための補助光電センサー３７と、無目３４内に設けられた駆動装置４０とを備えている。
【００２４】
駆動装置４０は、ハンガーレール４１と、ハンガーレール４１上を走行する戸車４２ａを備えていて２つで１枚のドア３１を吊り下げる４つのドアハンガー４２と、２つのドア３１のそれぞれの１つのドアハンガー４２が取り付けられたタイミングベルト４３と、タイミングベルト４３がかけられた駆動プーリー４４および従動プーリー４５と、ドアハンガー４２が接触することによってドア３１の開方向への移動を制限するドアストッパー４６と、駆動プーリー４４を駆動するモーター４７と、自動ドア３０を制御するコントローラー４８とを備えている。
【００２５】
駆動装置４０は、様々なメーカーのものが採用されることが可能である。
【００２６】
コントローラー４８は、コンピューターである。コントローラー４８は、モーター４７の電流値を検知することが可能である。
【００２７】
起動センサー３５、起動センサー３６および補助光電センサー３７と、コントローラー４８との間の通信は、例えばＣＡＮ（Ｃｏｎｔｒｏｌｌｅｒ  Ａｒｅａ  Ｎｅｔｗｏｒｋ）通信などの特定の通信で実現される。
【００２８】
図２に示すように、自動ドア側システム２０は、コントローラー４８から出力される情報などの情報を特定の通信方式の通信データに加工するデータ変換器２１を備えている。データ変換器２１は、コンピューターである。ここで、コントローラー４８からデータ変換器２１に出力される情報としては、例えば、自動ドア３０の各種の設定情報と、自動ドア３０の開きの動作におけるモーター４７の電流値、自動ドア３０の開きの動作におけるドア３１の移動速度、自動ドア３０の閉じの動作におけるドア３１の移動速度、自動ドア３０の開きの動作の所要時間、自動ドア３０の１回の開きの動作におけるモーター４７の回転の回数など、自動ドア３０の各種の保全情報と、自動ドア３０の異常を示す異常情報とが存在する。コントローラー４８からデータ変換器２１への情報の出力は、即時に実行されても良い。コントローラー４８から出力される情報の種類やフォーマットは、駆動装置４０のメーカーによって異なる。したがって、データ変換器２１のメーカーは、駆動装置４０のメーカーと同一であることが好ましい。データ変換器２１は、コントローラー４８から出力される情報に基づいて故障予知情報および故障情報を生成することができ、本発明の情報生成部を構成している。自動ドア側システム２０は、自動ドア毎にデータ変換器を備えている。
【００２９】
自動ドア側システム２０は、データ変換器２１、起動センサー３５、起動センサー３６および補助光電センサー３７から出力される情報を中継する中継ボックス２２を備えている。ここで、起動センサー３５、起動センサー３６および補助光電センサー３７から中継ボックス２２に出力される情報としては、例えば、各センサーの各種の設定情報と、各センサーの稼働時間、各センサーによる検知回数、各センサーの感度など、各センサーの状態および動作の少なくとも１つに関する情報としての各種の保全情報と、各センサーの異常を示す異常情報とが存在する。データ変換器２１から中継ボックス２２に出力される情報としては、コントローラー４８からデータ変換器２１に出力された情報以外に、データ変換器２１で生成された故障予知情報および故障情報が存在する。
【００３０】
中継ボックス２２と、起動センサー３５、起動センサー３６および補助光電センサー３７との間の通信は、例えばＣＡＮ通信などの特定の通信で実現される。
【００３１】
自動ドア側システム２０は、自動ドア毎に中継ボックスを備えている。なお、自動ドア側システム２０に含まれる中継ボックスは、中継ボックス２２が親機で、他は子機である。
【００３２】
自動ドア側システム２０は、中継ボックスによって中継された情報をサーバー７０（図１参照。）に送信する無線または有線の通信機器としてのゲートウェイ２３を備えている。ゲートウェイ２３は、自動ドア側システム２０に含まれる中継ボックスのうち親機である中継ボックス２２のみに接続されている。したがって、自動ドア側システム２０は、複数の自動ドアに対して１つのゲートウェイ２３のみを備えていれば良く、ゲートウェイの購入費と、通信費とを抑えることができる。
【００３３】
なお、データ変換器、中継ボックスおよびゲートウェイは、自動ドアに対して後付けが可能な構成になっている。したがって、自動ドアの所有者は、データ変換器、中継ボックスおよびゲートウェイを利用したサービスの提供を受けることを希望する場合にのみ、データ変換器、中継ボックスおよびゲートウェイを自動ドアに対して設置されることが可能であり、データ変換器、中継ボックスおよびゲートウェイを利用したサービスの提供を受けることを希望しない場合には、データ変換器、中継ボックスおよびゲートウェイを自動ドアに対して設置するための導入コストを抑えることができる。
【００３４】
自動ドア側システム２０は、図２に示す自動ドア３０に代えて、図５に示す自動ドア５０を備えても良い。
【００３５】
図５は、自動ドア５０を備える場合の自動ドア側システム２０のブロック図である。
【００３６】
図５に示す自動ドア側システム２０の構成のうち、図２に示す自動ドア側システム２０の構成と同一の構成については、同一の符合を付して詳細な説明を省略する。
【００３７】
図５に示すように、自動ドア５０の駆動装置は、自動ドア５０を制御するコントローラー５１を備えている。自動ドア５０の駆動装置は、様々なメーカーのものが採用されることが可能である。コントローラー５１は、コンピューターである。コントローラー５１は、モーター４７の電流値を検知することができない。
【００３８】
自動ドア５０は、モーター４７の電流値を検知するクランプ型センサー５２と、例えばＣＡＮ通信などの特定の通信に対応している起動センサー３５、起動センサー３６および補助光電センサー３７を、この通信に非対応のコントローラー５１に接続するための変換器５３とを備えている。クランプ型センサー５２は、モーター４７と、コントローラー５１とを接続する電線を挟み込むことによって、この電線における電流値、すなわち、モーター４７の電流値を検知するものである。
【００３９】
データ変換器２１は、コントローラー５１から出力される情報や、クランプ型センサー５２から出力される電流値などの情報を特定の通信方式の通信データに加工する。ここで、コントローラー５１からデータ変換器２１に出力される情報としては、例えば、自動ドア５０の各種の設定情報と、自動ドア３０の開きの動作におけるモーター４７の電流値、自動ドア３０の開きの動作におけるドア３１の移動速度、自動ドア３０の閉じの動作におけるドア３１の移動速度、自動ドア３０の開きの動作の所要時間、自動ドア３０の１回の開きの動作におけるモーター４７の回転の回数など、自動ドア５０の各種の保全情報と、自動ドア５０の異常を示す異常情報とが存在する。コントローラー５１からデータ変換器２１への情報の出力の頻度は、例えば３０分間に１回である。
【００４０】
データ変換器２１のメーカーは、自動ドア５０の駆動装置のメーカーと同一であることが好ましい。データ変換器２１のメーカーが自動ドア５０の駆動装置のメーカーと同一である場合、自動ドア５０の駆動装置のメーカーは、駆動装置４０のメーカーと同一である。すなわち、データ変換器２１は、駆動装置４０と、自動ドア５０の駆動装置とで共通のものが使用されることが可能である。
【００４１】
次に、自動ドア監視システム１０の動作について説明する。
【００４２】
まず、モーター４７の電流値の正常時からの変化に基づいて故障予知情報を生成する場合の自動ドア監視システム１０の動作について説明する。
【００４３】
図６は、モーター４７の電流値の正常時からの変化に基づいて異常情報を生成する場合のデータ変換器２１の動作のフローチャートである。
【００４４】
図６に示すように、データ変換器２１は、コントローラー４８から出力された情報に基づいて、自動ドア３０が開いたと判断するまで、自動ドア３０が開いたか否かを判断する（Ｓ１０１）。
【００４５】
データ変換器２１は、自動ドア３０が開いたとＳ１０１において判断すると、自動ドア３０の今回の開きの動作全体におけるモーター４７の電流値の平均値を算出する（Ｓ１０２）。
【００４６】
図７は、モーター４７によって開かれる場合のドア３１の移動速度の一例を示す図である。
【００４７】
図７に示すように、コントローラー４８は、閉まっているドア３１をモーター４７によって開く場合、時間ゼロから時間ｔ１までの間でモーター４７によってドア３１の移動速度を速度ゼロから速度ｖ１まで加速し、時間ｔ１から時間ｔ２までの間でモーター４７によってドア３１の移動速度を速度ｖ１で維持し、時間ｔ２から時間ｔ３までの間でモーター４７によってドア３１の移動速度を速度ｖ１から速度ｖ２まで減速し、時間ｔ３から時間ｔ４までの間でモーター４７によってドア３１の移動速度を速度ｖ２で維持し、時間ｔ４から時間ｔ５までの間でモーター４７によってドア３１の移動速度を速度ｖ２から速度ゼロまで減速する。
【００４８】
自動ドア３０の１回の開きの動作全体におけるモーター４７の電流値の平均値とは、時間ゼロから時間ｔ５までの間のモーター４７の電流値の平均値である。
【００４９】
図６に示すように、データ変換器２１は、Ｓ１０２の処理の後、自動ドア３０の１回の開きの動作全体におけるモーター４７の電流値の、正常時の平均値（以下「モーター電流値正常値」という。）に対して、Ｓ１０２において算出した平均値が特定の値以上大きいか否かを判断する（Ｓ１０３）。ここで、データ変換器２１は、モーター電流値正常値を事前に記憶している。例えば、データ変換器２１は、モーター電流値正常値の設定が指示された場合に、モーター４７によって自動ドア３０を開閉させる動作を特定の回数実行し、この動作におけるモーター４７の電流値に基づいてモーター電流値正常値を決定する。モーター電流値正常値の設定が指示されるタイミングとしては、例えば自動ドア３０の設置時が考えられる。
【００５０】
データ変換器２１は、モーター電流値正常値に対して、Ｓ１０２において算出した平均値が特定の値以上大きくはないとＳ１０３において判断すると、モーター４７の電流値が正常であることを示す正常情報（以下「モーター電流値正常情報」という。）を生成し（Ｓ１０４）、このモーター電流値正常情報を中継ボックス２２に出力して（Ｓ１０５）、Ｓ１０１の処理を実行する。
【００５１】
データ変換器２１は、モーター電流値正常値に対して、Ｓ１０２において算出した平均値が特定の値以上大きいとＳ１０３において判断すると、モーター４７の電流値が異常であることを示す異常情報（以下「モーター電流値異常情報」という。）を生成し（Ｓ１０６）、このモーター電流値異常情報を中継ボックス２２に出力して（Ｓ１０７）、Ｓ１０１の処理を実行する。
【００５２】
データ変換器２１から中継ボックス２２に出力されたモーター電流値正常情報やモーター電流値異常情報は、ゲートウェイ２３を介してサーバー７０に送信される。
【００５３】
図８は、モーター電流値異常情報に基づいて故障予知情報を生成する場合のサーバー７０の動作のフローチャートである。
【００５４】
図８に示すように、サーバー７０は、モーター電流値正常情報またはモーター電流値異常情報を受信したと判断するまで、モーター電流値正常情報またはモーター電流値異常情報を受信したか否かを判断する（Ｓ１２１）。
【００５５】
サーバー７０は、モーター電流値正常情報またはモーター電流値異常情報を受信したとＳ１２１において判断すると、モーター電流値正常情報およびモーター電流値異常情報に関して、モーター電流値異常情報を３回連続して受信したか否かを判断する（Ｓ１２２）。
【００５６】
サーバー７０は、モーター電流値異常情報を３回連続して受信していないとＳ１２２において判断すると、Ｓ１２１の処理を実行する。
【００５７】
サーバー７０は、モーター電流値異常情報を３回連続して受信したとＳ１２２において判断すると、モーター４７の電流値に関する故障予知情報を生成する（Ｓ１２３）。ここで、サーバー７０は、例えば、ドア３１、ガイドレール３３、ハンガーレール４１、ドアハンガー４２など、モーター４７の電流値の変化に関連する部品の劣化度合いを故障予知情報に含めても良い。例えば、サーバー７０は、モーター４７の電流値の変化に関連する部品の劣化度合いを、モーター４７の電流値の正常時からの変化の程度に基づいて取得することが可能である。
【００５８】
サーバー７０は、Ｓ１２３の処理の後、自動ドア３０を管理している拠点の拠点端末に、Ｓ１２３において生成した故障予知情報を送信して（Ｓ１２４）、Ｓ１２１の処理を実行する。
【００５９】
自動ドア３０を管理している拠点の拠点端末は、Ｓ１２４において送信されてきた故障予知情報を受信すると、受信した故障予知情報を例えば表示によって通知する。したがって、自動ドア３０を管理している拠点のサービスパーソンは、この拠点の拠点端末によって通知された故障予知情報に応じて、電話や現場作業などの保守業務を行うことができる。なお、自動ドア３０の開きの動作におけるモーター４７の電流値の異常は、例えば、ドア３１およびガイドレール３３の少なくとも一方にゴミが付着していたり、ドア３１およびガイドレール３３の少なくとも一方が変形や摩耗していたりして、ドア３１と、ガイドレール３３との間に異常な摩擦が発生している場合や、ハンガーレール４１と、ドアハンガー４２の戸車４２ａとの少なくとも一方にゴミが付着していたり、ハンガーレール４１および戸車４２ａの少なくとも一方が変形や摩耗していたりして、ハンガーレール４１と、戸車４２ａとの間に異常な摩擦が発生している場合など、自動ドア３０の開きの動作におけるドアの移動に対して異常な抵抗が存在する場合に発生している可能性が高い。自動ドア３０は、自動ドア３０の開きの動作におけるドアの移動に対して異常な抵抗が存在する場合、この抵抗が除去されるための何らかの処置が実行されなければ、いずれ故障によって動作しなくなる可能性が高い。したがって、自動ドア監視システム１０は、故障予知情報を拠点端末に表示することによって、サービスパーソンによる自動ドア３０の予知保全を支援することができる。
【００６０】
サーバー７０は、以上において、モーター電流値異常情報を３回連続して受信した場合に故障予知情報を生成する。しかしながら、サーバー７０は、モーター電流値異常情報を３回以外の複数回連続して受信した場合に故障予知情報を生成しても良い。また、サーバー７０は、モーター電流値異常情報を複数回連続して受信するという条件以外の条件に応じて、故障予知情報を生成しても良い。例えば、サーバー７０は、モーター電流値異常情報を合計で特定の回数以上受信した場合に故障予知情報を生成しても良いし、モーター電流値異常情報を特定の期間の間に特定の回数以上受信した場合に故障予知情報を生成しても良い。
【００６１】
自動ドア監視システム１０は、以上において、サーバー７０がデータ変換器２１と連携して故障予知情報を生成する。しかしながら、データ変換器２１やサーバー７０がモーター４７の電流値の正常時からの変化に基づいて単独で故障予知情報を生成しても良い。例えば、データ変換器２１は、自動ドア３０の１回の開きの動作全体におけるモーター４７の電流値の平均値がモーター電流値正常値に対して特定の値以上大きい場合に、モーター４７の電流値に関する故障予知情報を生成し、この故障予知情報を中継ボックス２２に出力しても良い。そして、サーバー７０は、データ変換器２１から中継ボックス２２およびゲートウェイ２３を介して送信されてきた故障予知情報を、自動ドア３０を管理している拠点の拠点端末に送信しても良い。
【００６２】
データ変換器２１およびサーバー７０は、以上において、自動ドア３０の１回の開きの動作全体におけるモーター４７の電流値の平均値の正常時からの変化に基づいて故障予知情報を生成する。しかしながら、データ変換器２１およびサーバー７０の少なくとも１つは、自動ドア３０におけるモーター４７の電流値の正常時からの変化として、自動ドア３０の１回の開きの動作全体におけるモーター４７の電流値の平均値以外の値の正常時からの変化に基づいて故障予知情報を生成しても良い。例えば、データ変換器２１およびサーバー７０の少なくとも１つは、例えば図７における時間ゼロから時間ｔ１までの間など、自動ドア３０の１回の開きの動作の一部の区間におけるモーター４７の電流値の平均値の正常時からの変化に基づいて故障予知情報を生成しても良い。また、データ変換器２１およびサーバー７０の少なくとも１つは、自動ドア３０の１回の閉じの動作におけるモーター４７の電流値の平均値の正常時からの変化に基づいて故障予知情報を生成しても良いし、自動ドア３０の１回の開きおよび閉じの両方の動作におけるモーター４７の電流値の平均値の正常時からの変化に基づいて故障予知情報を生成しても良い。また、データ変換器２１およびサーバー７０の少なくとも１つは、自動ドア３０の１回の開きおよび閉じの少なくとも１つの動作におけるモーター４７の電流値のピーク値の正常時からの変化に基づいて故障予知情報を生成しても良い。なお、ピーク値は、通常、図７における時間ゼロから時間ｔ１までの間に発生する。
【００６３】
以上においては、自動ドア３０におけるモーター４７の電流値の正常時からの変化に基づいて故障予知情報を生成する場合の自動ドア監視システム１０の動作について説明している。しかしながら、自動ドア５０におけるモーター４７の電流値の正常時からの変化に基づいて故障予知情報を生成する場合の自動ドア監視システム１０の動作についても、クランプ型センサー５２から出力される電流値を利用することを除いて同様である。
【００６４】
以上においては、自動ドアにおけるモーターの電流値の正常時からの変化に基づいて故障予知情報を生成する場合の自動ドア監視システム１０の動作について説明している。しかしながら、データ変換器およびサーバー７０の少なくとも１つは、自動ドアの開きおよび閉じの少なくとも１つの動作におけるドアの移動に対して異常な抵抗が存在する場合の故障予知情報として、自動ドアにおけるモーターの電流値の正常時からの変化に基づいた故障予知情報以外の故障予知情報を、自動ドアにおけるモーターの電流値の正常時からの変化に基づいた故障予知情報と同様な方法によって生成することができる。
【００６５】
例えば、データ変換器およびサーバー７０の少なくとも１つは、自動ドアの１回の開きおよび閉じの少なくとも１つの動作全体におけるドアの移動速度の平均値の正常時からの変化に基づいた故障予知情報や、自動ドアの１回の開きおよび閉じの少なくとも１つの動作におけるドアの移動速度の最高値の正常時からの変化に基づいた故障予知情報など、自動ドアの開きおよび閉じの少なくとも１つの動作におけるドアの移動速度の正常時からの変化に基づいた故障予知情報を、自動ドアにおけるモーターの電流値の正常時からの変化に基づいた故障予知情報と同様な方法によって生成することができる。データ変換器およびサーバー７０の少なくとも１つは、自動ドアの開きおよび閉じの少なくとも１つの動作におけるドアの移動速度が正常時に対して特定の速度以上低い場合に、自動ドアの開きおよび閉じの少なくとも１つの動作におけるドアの移動に対して異常な抵抗が存在すると判断することができる。
【００６６】
また、データ変換器およびサーバー７０の少なくとも１つは、自動ドアの１回の開きおよび閉じの少なくとも１つの動作の所要時間の正常時からの変化に基づいた故障予知情報を、自動ドアにおけるモーターの電流値の正常時からの変化に基づいた故障予知情報と同様な方法によって生成することができる。データ変換器およびサーバー７０の少なくとも１つは、自動ドアの１回の開きおよび閉じの少なくとも１つの動作の所要時間が正常時に対して特定の時間以上長い場合に、自動ドアの開きおよび閉じの少なくとも１つの動作におけるドアの移動に対して異常な抵抗が存在すると判断することができる。
【００６７】
また、データ変換器およびサーバー７０の少なくとも１つは、自動ドアに発生する振動を検知する振動センサーを自動ドアが備えている場合に、自動ドアの１回の開きおよび閉じの少なくとも１つの動作において振動センサーによって検知される振動の正常時からの変化に基づいた故障予知情報を、自動ドアにおけるモーターの電流値の正常時からの変化に基づいた故障予知情報と同様な方法によって生成することができる。データ変換器およびサーバー７０の少なくとも１つは、自動ドアの１回の開きおよび閉じの少なくとも１つの動作において自動ドアに発生する振動が特定の程度以上増加した場合に、自動ドアの開きおよび閉じの少なくとも１つの動作におけるドアの移動に対して異常な抵抗が存在すると判断することができる。
【００６８】
以上においては、自動ドアの開きおよび閉じの少なくとも１つの動作におけるドアの移動に対して異常な抵抗が存在する場合の故障予知情報について説明している。しかしながら、データ変換器およびサーバー７０の少なくとも１つは、自動ドアの開きおよび閉じの少なくとも１つの動作におけるドアの移動に対して異常な抵抗が存在する場合の故障予知情報以外の故障予知情報についても、自動ドアの開きおよび閉じの少なくとも１つの動作におけるドアの移動に対して異常な抵抗が存在する場合の故障予知情報と同様な方法によって生成することができる。
【００６９】
例えば、データ変換器およびサーバー７０の少なくとも１つは、自動ドアの１回の開きおよび閉じの少なくとも１つの動作におけるモーターの回転の回数の正常時からの変化に基づいた故障予知情報を、自動ドアにおけるモーターの電流値の正常時からの変化に基づいた故障予知情報と同様な方法によって生成することができる。ドアの開方向への移動は、ドアハンガーがドアストッパーに接触することによって停止する。したがって、自動ドアの１回の開きの動作におけるモーターの回転の回数は、自動ドアが正常な状態であれば、常に一定である。しかしながら、駆動装置のタイミングベルトが正常時より伸びてしまうと、モーターが通常通りの回数回転したとしてもドアの移動距離が正常時より短くなるので、自動ドアの１回の開きの動作におけるモーターの回転の回数は、正常時より長くなる。また、ドア、ガイドレール、ハンガーレール、ドアハンガーなどの部品のネジが緩むと、ドアハンガーがドアストッパーに接触したとしてもドアがきちんと停止しなくなり、自動ドアの１回の開きの動作におけるモーターの回転の回数は、正常時より長くなる。以上においては、自動ドアの開きの動作について説明しているが、自動ドアの閉じの動作についても同様である。したがって、データ変換器およびサーバー７０の少なくとも１つは、自動ドアの１回の開きおよび閉じの少なくとも１つの動作におけるモーターの回転の回数が正常時に対して特定の回数以上増えた場合に、タイミングベルトの伸びや、ドア、ガイドレール、ハンガーレール、ドアハンガーなどの部品のネジの緩みが存在すると判断することができる。自動ドアは、タイミングベルトの伸びや、ドア、ガイドレール、ハンガーレール、ドアハンガーなどの部品のネジの緩みが存在する場合、タイミングベルトの伸びや、ドア、ガイドレール、ハンガーレール、ドアハンガーなどの部品のネジの緩みを解消するための何らかの処置が実行されなければ、いずれ故障によって動作しなくなる可能性が高い。
【００７０】
データ変換器およびサーバー７０の少なくとも１つは、起動センサー、補助光電センサーなどの各センサーの感度の正常時からの変化に基づいた故障予知情報を、自動ドアにおけるモーターの電流値の正常時からの変化に基づいた故障予知情報と同様な方法によって生成することができる。データ変換器およびサーバー７０の少なくとも１つは、センサーの感度が正常時に対して特定の程度以上劣化した場合に、このセンサーの感度が劣化していると判断することができる。また、データ変換器およびサーバー７０の少なくとも１つは、各センサーの感度の劣化度を、自動ドアの開閉回数、各センサーの稼働時間、各センサーによる検知回数などに基づいて判断することができ、判断した劣化度に基づいた故障予知情報を生成することができる。自動ドアは、センサーの感度が劣化している場合、センサーの感度の劣化を解消するための何らかの処置が実行されなければ、いずれ故障によって動作しなくなる可能性が高い。
【００７１】
以上においては、故障予知情報について説明している。しかしながら、データ変換器およびサーバー７０の少なくとも１つは、故障予知情報以外の情報についても、自動ドアから出力された情報に基づいて生成することができる。
【００７２】
例えば、データ変換器およびサーバー７０の少なくとも１つは、自動ドアの故障情報についても、故障予知情報と同様に、自動ドアから出力された情報に基づいて生成することができる。すなわち、データ変換器およびサーバー７０の少なくとも１つは、自動ドアが開閉の動作をすることができない状態であることを自動ドアから出力された情報に基づいて判断すると、この自動ドアの故障情報を生成する。また、データ変換器およびサーバー７０の少なくとも１つは、自動ドアから通知されるはずの情報が、特定の時間の間、通知されない場合に、この自動ドアの故障情報を生成しても良い。
【００７３】
なお、中継ボックスは、サーバー７０に送信すべき故障情報が存在する場合には、故障情報をゲートウェイ経由でサーバー７０に即時に送信し、サーバー７０に送信すべき設定情報および保全情報の少なくとも１つが存在する場合には、サーバー７０に送信すべき設定情報および保全情報を、例えば１日１回など、定期的にゲートウェイ経由でサーバー７０に送信する。中継ボックスは、サーバー７０に送信すべき故障予知情報が存在する場合には、故障予知情報をゲートウェイ経由でサーバー７０に即時に送信しても良いし、故障予知情報を定期的にゲートウェイ経由でサーバー７０に送信しても良い。中継ボックスは、一部の情報をゲートウェイ経由でサーバー７０に即時に送信しないことによって、ゲートウェイによる情報の送信に必要な通信コストを抑えることができる。
【００７４】
自動ドアから出力された情報に基づいて自動ドアの故障予知情報、故障情報および異常情報などの情報が生成される場合、自動ドアの故障予知情報、故障情報および異常情報などの情報の生成のアルゴリズムは、この自動ドアの駆動装置に適したアルゴリズムであることが好ましいので、この駆動装置のメーカーによって設定されることが好ましい。しかしながら、自動ドアの駆動装置に適したアルゴリズムは、この駆動装置のメーカーのノウハウである場合もあり、このメーカーから自動ドア監視システム１０の管理者に開示されることが困難である場合もある。自動ドア監視システム１０は、自動ドアの故障予知情報、故障情報および異常情報などの情報を生成するデータ変換器が、この自動ドアの駆動装置のメーカーによって製造されることによって、このデータ変換器による自動ドアの故障予知情報、故障情報および異常情報などの情報の生成のアルゴリズムが自動ドア監視システム１０の管理者に知られる可能性を低減することができる。したがって、自動ドアの駆動装置のメーカーは、自動ドアの駆動装置に適したアルゴリズムで情報を生成するデータ変換器を、自動ドア監視システム１０の管理者に提供することができる。
【００７５】
自動ドア監視システム１０は、データ変換器と、サーバー７０とを備えているので、自動ドアの駆動装置に適したアルゴリズムで情報を生成するデータ変換器が、この駆動装置のメーカーによって製造されることによって、データ変換器によって生成される情報の信頼性を向上することができるとともに、サーバー７０における情報の生成のアルゴリズムが自動ドア監視システム１０の管理者によって設定されることによって、サーバー７０によって生成される情報の生成のアルゴリズムが容易に更新されることができる。したがって、自動ドア監視システム１０は、拠点端末によって通知する情報の信頼性の高さと、拠点端末によって通知する情報の生成のアルゴリズムの更新の容易性とを両立することができる。
【００７６】
自動ドア監視システム１０は、起動センサーまたは補助光電センサーから出力された情報に基づいてサーバー７０によって情報を生成するので、起動センサーまたは補助光電センサーから出力された情報に基づいてデータ変換器によって情報を生成しなくても良く、自動ドアの駆動装置のメーカーと、自動ドアの起動センサーまたは補助光電センサーのメーカーとが異なる場合に、自動ドアの駆動装置のメーカーによるデータ変換器の製造を容易化することができる。
【符号の説明】
【００７７】
１０  自動ドア監視システム
２１  データ変換器（情報生成部）
３０  自動ドア
３１  ドア
３５、３６  起動センサー（センサー）
３７  補助光電センサー（センサー）
５０  自動ドア
６０  拠点端末（情報通知部）
７０  サーバー
【図１】
2020071623.tif 000003
【図２】
2020071623.tif 000004
【図３】
2020071623.tif 000005
【図４】
2020071623.tif 000006
【図５】
2020071623.tif 000007
【図６】
2020071623.tif 000008
【図７】
2020071623.tif 000009
【図８】
2020071623.tif 000010